(57)【要約】【課題】  ステージと塔状構造物との隙間を小さくして、作業効率を高めると共に作業者の墜落と作業工具等の落下の危険性を無くし、強風や地震によってもステージと塔状構造物との衝突のおそれを無くすと共にマストに曲げ応力が働かないようにした塔状構造物の足場構造を提供するものである。【解決手段】  煙突１０の周囲に足場１４を昇降させる複数のマスト１２を備える。足場１４には、煙突１０を挿通させる空間２４を形成した基本ステージ２０を有する。マスト１２で足場１４を上昇させた際に、煙突１０の外壁２２と基本ステージ２０との隙間が大きくなると、基本ステージ２０における多数箇所に空間２４側に突出する連結支持梁６０を固定し、隣り合う連結支持梁６０同士に足場板７８ａを掛け渡して基本ステージ２０と固定することで、煙突１０と基本ステージ２０との隙間を常に小さくすることができる。【選択図】  図５
2008082121.tif 000002
【特許請求の範囲】
【請求項１】
塔状構造物の外部に配置する昇降手段と、その昇降手段によって昇降させられる基本ステージと、その基本ステージの中央に形成されるものであって塔状構造物を挿通させるための空間と、前記塔状構造物を中心とする複数位置に半径方向に配置されるものであって前記空間に向けて突出するように前記基本ステージに固定される連結支持梁と、前記隣り合う連結支持梁にわたって掛け渡されると共に前記基本ステージに固定状態とする足場板とを有することを特徴とする塔状構造物の足場構造。
【請求項２】
前記連結支持梁に新たに連結支持梁を前記塔状構造物に向けて順次固定し、互いに隣り合う新たな連結支持梁のそれぞれに新たな足場板を順次掛け渡して前記基本ステージと固定状態とすることを特徴とする請求項１記載の塔状構造物の足場構造。
【請求項３】
前記足場板を木製とし、新たに掛け渡した足場板の一部を以前に掛け渡した足場板の一部と重ね合せ、その重ね合う箇所同士を釘で固定するようにしたことを特徴とする請求項２記載の塔状構造物の足場構造。
【請求項４】
前記塔状構造物に接触可能なものであって前記基本ステージに対して移動可能な接触手段と、前記基本ステージまたは前記連結支持梁の少なくとも一方に取付けられるものであって前記接触手段を移動させるための位置調整手段とを備えることを特徴とする請求項１記載の塔状構造物の足場構造。
【請求項５】
前記位置調整手段に移動手段を固定し、その移動手段に前記接触手段を取付け、前記位置調整手段を第一支持部材に固定し、その第一支持部材を前記基本ステージまたは前記連結支持梁の少なくとも一方に着脱自在に取付け、前記移動手段を第二支持部材で移動可能に保持し、その第二支持部材を前記基本ステージまたは前記連結支持梁の少なくとも一方に着脱自在に取付けることを特徴とする請求項１記載の塔状構造物の足場構造。
【請求項６】
前記接触手段を回転自在なローラとしたことを特徴とする請求項４または５記載の塔状構造物の足場構造。
【請求項７】
前記昇降手段によって前記基本ステージを昇降させる間に、前記位置調整手段によって前記複数の接触手段の全てを前記塔状構造物の外壁に近接する位置に移動させることを特徴とする請求項４乃至６記載の塔状構造物の足場構造。
【請求項８】
前記昇降手段によって前記基本ステージを昇降させる間に、前記複数の接触手段における１個を除く全てを前記塔状構造物の外壁に近接する位置になるよう位置調整手段で移動させ、残りの１個を前記塔状構造物の外壁に接触させるよう位置調整手段で移動させることを特徴とする請求項４乃至６記載の塔状構造物の足場構造。
【請求項９】
前記ステージが所定の高さの停止位置に至った時に、前記位置調整手段を作動させて全ての前記接触部材を前記塔状構造物に接触させることを特徴とする請求項１記載の塔状構造物の足場構造。
【請求項１０】
前記塔状構造物の周囲に渡って環状のネットを備え、その環状のネットの相対的な外側位置を前記基本ステージまたはそれに固定状態にあるものに固定し、前記環状のネットの相対的な内側位置に締付け並びに緩め自在の締付け手段を取付け、前記締付け手段を締め付けることで前記環状のネットの相対的な内側位置を前記塔状構造物に固定し、前記締付け手段を緩めることで前記環状のネットの相対的な内側位置の前記塔状構造物への固定を外すようにし、前記締付け手段を締め付けて前記環状のネットの相対的内側位置を前記塔状構造物に固定した状態では前記環状のネットは前記連結支持梁並びに前記足場板の下方に位置することを特徴とする請求項１記載の塔状構造物の足場構造。
【請求項１１】
前記基本ステージまたは前記連結支持梁に対して位置を変えて固定されるものであって前記環状のネットの内縁またはその付近を支持するネット支持手段を備えたことを特徴とする請求項１０記載の塔状構造物の足場構造。
【発明の詳細な説明】
【技術分野】
【０００１】
本発明は、高くなるにつれて直径が小さくなる煙突等の塔状構造物における解体等の作業を行うための塔状構造物の足場構造に関する。
【背景技術】
【０００２】
従来から煙突等の塔状構造物を解体する作業においては、塔状構造物の周囲に作業者が作業を行うための枠組足場等を組んでいた。例えば煙突の周囲の全域とその高さ全体にわたって足場を組む工法では、煙突の高さが１００ｍ程度の場合、作業地点が６０ｍ以上になると、風速が常に１０ｍ／ｓ以上になる場合が多い。そのため、枠組足場からの作業者の墜落や仮設材の落下災害等、危険作業が非常に多くなっていた。その不具合を克服するために、高さが低い地上付近で足場を組立て、複数のマストを利用して足場を上方に上昇させる技術が特許文献１に提案されている。これにより、高所での足場の組立て解体や盛り替え作業を大幅に低減することができ、高所からの墜落災害や、落下物災害を大幅に低減することができる。
【０００３】
【特許文献１】特開２０００−８０８０２号
【発明の開示】
【発明が解決しようとする課題】
【０００４】
煙突等の塔状構造物では一般に、高さが高くなるにつれて直径が小さくなっているために、足場が上方するに伴って塔状構造物とステージとの隙間が大きくなってしまう欠点がある。特許文献１では、足場が上昇するにつれ、煙突等と足場の底面であるステージとの間に生じる大きな隙間を埋める具体的な方法が示されていないために、その隙間は現場毎にそれぞれ勝手に埋め合わせ作業を行っていた。そのため、煙突等とステージとの間に３０ｃｍ以上の隙間が生じる場合があり、その隙間から作業者が墜落する危険や、大きな物を落とす危険が常にあった。
【０００５】
また、風力等がステージに作用する水平力を、煙突等で確実に受け止める方法も曖昧であったために、ステージの昇降時にステージにかかる水平力が、ステージの支柱であるマストに作用することとなっていた。このため、マストに大きな曲げ応力がかかり、この曲げ応力によりマストが曲がって、ステージ全体の倒壊のおそれがあった。
【０００６】
本発明は上記の点に鑑みてなされたもので、ステージと塔状構造物との間に隙間があってもその隙間を小さくして、作業効率を高めると共に作業者の墜落や作業工具の落下等の危険性を無くすと共に、ステージに加わる水平力を塔状構造物で受け止めて、ステージを支持している複数のマストに曲げ応力がかからないようにした塔状構造物の足場構造を提供することを目的とするものである。
【課題を解決するための手段】
【０００７】
本発明の塔状構造物の足場構造は、塔状構造物の外部に配置する昇降手段と、その昇降手段によって昇降させられる基本ステージと、その基本ステージの中央に形成されるものであって塔状構造物を挿通させるための空間と、前記塔状構造物を中心とする複数位置に半径方向に配置されるものであって前記空間に向けて突出するように前記基本ステージに固定される連結支持梁と、前記隣り合う連結支持梁にわたって掛け渡されると共に前記基本ステージに固定状態とする足場板とを有することを特徴とするものである。本発明は、前記連結支持梁に新たに連結支持梁を前記塔状構造物に向けて順次固定し、互いに隣り合う新たな連結支持梁のそれぞれに新たな足場板を順次掛け渡して前記基本ステージと固定状態とすることを特徴とするものである。本発明は、前記足場板を木製とし、新たに掛け渡した足場板の一部を以前に掛け渡した足場板の一部と重ね合せ、その重ね合う箇所同士を釘で固定するようにしたことを特徴とするものである。本発明は、前記塔状構造物に接触可能なものであって前記基本ステージに対して移動可能な接触手段と、前記基本ステージまたは前記連結支持梁の少なくとも一方に取付けられるものであって前記接触手段を移動させるための位置調整手段とを備えることを特徴とするものである。本発明は、前記位置調整手段に移動手段を固定し、その移動手段に前記接触手段を取付け、前記位置調整手段を第一支持部材に固定し、その第一支持部材を前記基本ステージまたは前記連結支持梁の少なくとも一方に着脱自在に取付け、前記移動手段を第二支持部材で移動可能に保持し、その第二支持部材を前記基本ステージまたは前記連結支持梁の少なくとも一方に着脱自在に取付けることを特徴とするものである。本発明は、前記接触手段を回転自在なローラとしたことを特徴とするものである。本発明は、前記昇降手段によって前記基本ステージを昇降させる間に、前記位置調整手段によって前記複数の接触手段の全てを前記塔状構造物の外壁に近接する位置に移動させることを特徴とするものである。本発明は、前記昇降手段によって前記基本ステージを昇降させる間に、前記複数の接触手段における１個を除く全てを前記塔状構造物の外壁に近接する位置になるよう位置調整手段で移動させ、残りの１個を前記塔状構造物の外壁に接触させるよう位置調整手段で移動させることを特徴とするものである。本発明は、前記ステージが所定の高さの停止位置に至った時に、前記位置調整手段を作動させて全ての前記接触部材を前記塔状構造物に接触させることを特徴とするものである。本発明は、前記塔状構造物の周囲に渡って環状のネットを備え、その環状のネットの相対的な外側位置を前記基本ステージまたはそれに固定状態にあるものに固定し、前記環状のネットの相対的な内側位置に締付け並びに緩め自在の締付け手段を取付け、前記締付け手段を締め付けることで前記環状のネットの相対的な内側位置を前記塔状構造物に固定し、前記締付け手段を緩めることで前記環状のネットの相対的な内側位置の前記塔状構造物への固定を外すようにし、前記締付け手段を締め付けて前記環状のネットの相対的内側位置を前記塔状構造物に固定した状態では前記環状のネットは前記連結支持梁並びに前記足場板の下方に位置することを特徴とするものである。本発明は、前記基本ステージまたは前記連結支持梁に対して位置を変えて固定されるものであって前記環状のネットの内縁またはその付近を支持するネット支持手段を備えたことを特徴とするものである。
【発明の効果】
【０００８】
本発明によれば、上方に向かうにつれて直径が小さくなる塔状構造物において、塔状構造物の高い位置に足場が移動して、塔状構造物の外壁と基本ステージとの間に大きな隙間ができた場合、基本ステージに塔状構造物に向かう方向に連結支持梁を順次突出固定し、隣り合う連結支持梁同士に足場板を掛け渡して基本ステージと固定状態とする。これによって、直径等が小さくなった塔状構造物に向けてステージ（基本ステージと足場板とから成る）を広げることができ、ステージと塔状構造物の外壁との隙間を小さくすることができ、ステージでの塔状構造物に対する作業効率を高めることができる。しかも、ステージと塔状構造物との間の隙間を３０ｃｍ以下とすることができ、その隙間から作業者が落下するのを防止することができる。
【０００９】
また、環状のネットを連結支持梁や足場板の下方に備えるので、連結支持梁や足場板の取付け作業の際に、ステージと塔状構造物の外壁との隙間から作業者や連結支持梁や足場板や作業工具等が落下しても、環状のネットで捕捉して下まで落下させないため、ステージ上や塔状構造物の下で作業する作業者の安全を確保することができる。
【００１０】
更に、本発明では、昇降手段によってステージを昇降させる際に、全ての接触手段を塔状構造物の外壁に近接させておく。これによって、突風や地震等によってステージに水平方向の力が加わっても、足場と塔状構造物とは複数の接触手段でほぼ接触に近い状態になっているので、ステージに加わる水平方向の衝撃が小さい。このように、ステージに加わる水平方向の衝撃が小さいことから、ステージを支持する複数の昇降手段に曲げ応力による損傷の発生を防止することができる。その上、ステージを塔状構造物に固定したりその固定を解除したりする場合には、位置調整手段を電気的に作動させるだけで良く、その操作は容易で、かつ短時間に行うことができる。ステージを塔状構造物に固定した状態では、地震や突風が発生した場合でも、ステージと塔状構造物とが固定されているので、昇降手段やステージが損傷することは無い。
【発明を実施するための最良の形態】
【００１１】
次に本発明を図面に基づいて説明する。図１は本発明に係る足場構造を塔状構造物に対して備えた状態を示す正面図、図２は塔状構造物の下側の位置に対する本発明に係る足場構造を示す平面図、図３は図２に対応する本発明に係る足場構造の構成図である。搭状構造物としての煙突１０の外部の周囲に例えば３個の昇降手段としてのマスト１２を配置し、それら３個のマスト１２の上に足場１４を取付ける。マスト１２の数は２個以上であればいくつでも良いが、経済性と安定性の観点から３個であることが望ましい。マスト１２は多数のマストブロック１６を連結して成るものであり、その高さはマストブロック１６の高さ毎に上下することができる。
【００１２】
各マスト１２の下部には、マスト１２の高さを上下に調節するためのマスト高さ調節装置１８が備えられている。このマスト高さ調節装置１８でマスト１２の高さを高くする場合は、先ずマスト１２を図示しない保持手段で保持して上方に持ち上げ、マスト１２の最下端にあるマストブロック１６に新たなマストブロック１６を従来既知の連結手段（図示せず）で連結する。この反対に、マスト１２の最下端にあるマストブロック１６を取り外せば、マスト１２の高さを低くすることができる。３個のマスト１２の高さは、３個のマスト高さ調節装置１８によって、常にほぼ同一の高さで上下することができる。
【００１３】
足場１４の床面であるステージは、最初は鉄板等の素材から成る基本ステージ２０のみで構成される。この基本ステージ２０は、図２に示すように、煙突１０の下部の外壁２２の周囲を囲むように設定する。即ち、基本ステージ２０の中央部には、煙突１０の外壁２２の周囲を囲み、煙突１０を挿通させる空間２４が形成されている。この空間２４の平面から見た形状は例えば正八角形で形成する。空間２４の内縁２６は煙突１０の下側の外壁２２に近接した位置に配置するが、煙突１０の外壁２２には接触しないようにする。内縁２６の形状は、正八角形としたが、正四角形以上の正多角形であれば良い。多角形の数が多くなればなるほど、円形の煙突１０の外壁２２に近い形状となるが、後述する連結支持梁の取付け作業工数が増えることと、基本ステージ２０と煙突１０の外壁２２との間の隙間を小さくすることから、正多角形は正六角形から正十角形程度が望ましい。
【００１４】
図２及び図３に示すように、基本ステージ２０の上面には、煙突１０の中心軸を中心として放射状に配置される合計８個（内縁２６の多角形の数に合致した個数）の基礎梁２８が固定されている。即ち、８個の基礎梁２８は、その内側の延長線が煙突１０の中心軸で合致するように配置されている。基礎梁２８は基本ステージ２０の下面側に取付けても良く、あるいは基本ステージ２０の上面と基礎梁２８の上面とが同一平面にとなるように設定しても良い。８個の基礎梁２８は、八角形の内縁２６の各辺の連結位置にかかるように配置する。なお、基礎梁２８は基本ステージ２０とは別体のものとして説明したが、基礎梁２８は基本ステージ２０の構成の一部であるものと考えても良い。
【００１５】
図３に示すように、基礎梁２８において、煙突１０の外壁２２に対向する側には板状の先端部３０が固定されており、その先端部３０は空間２４（図２参照）に突出した位置に配置されるが、煙突１０の外壁２２に接触しないように設定される。基礎梁２８の下面には、先端部３０の位置よりも煙突１０の壁面２２側に向けて突出する連結板３２が溶接等により固定されている。その連結板３２の先端も煙突１０の外壁２２に接触しないように設定される。連結板３２の先端付近には、雄螺子部を上方に向けたボルト３４が取付けられている。
【００１６】
図３に示すように、位置調整手段としての油圧シリンダ３６が、基礎梁２８の上に第一支持手段３８を介してボルトやナット等の固定手段４０によって固定される。基礎梁２８の上には更に第二支持手段４２がボルトやナット等の固定手段４４によって固定され、その第二支持手段４２の上には保持手段４６が固定されている。この保持部材３４には移動手段４８が水平方向に移動自在に保持されている。この移動手段４８の一端は前記油圧シリンダ３６に取付けられ、この移動手段４８の他端には接触手段としてのローラ５０が回転自在に取付けられている。第一支持手段３８は固定手段４０を外すことによって、また第二支持手段４２は固定手段４４を外すことによって、基本ステージ２０（基礎梁２８）に対する取付け位置を移動させることができる。
【００１７】
図３に示すように、基礎ステージ２０の下側に環状のネット５２が取付けられる。環状のネット５２は、煙突１０の周囲にわたって備えられるもので、その環状のネット５２の外縁または外縁付近（相対的な外側位置）が、基礎ステージ２０の下側で煙突１０に近い位置に固定される。環状のネット５２の相対的な外側位置は、基礎ステージ２０ではなく、基礎ステージ２０と固定関係にある基礎梁２８に取付けられても良い。基礎梁２８の上には、ネット支持手段５４が固定手段（図示せず）によって固定され、そのネット支持手段５４の煙突１０の外壁２２側の先端は、煙突１０に近接した位置になるように設定するが、煙突１０の外壁２２には接触しないように設定する。ネット支持手段５４の煙突１０の外壁２２に近い位置の先端に、環状のネット５２の内縁または内縁付近が固定される。ネット支持手段５４は、基礎梁２８及び後述する連結支持梁６０に対して位置を変えて固定できるものであり、煙突１０の外壁２２に対して近接離間できるものである。
【００１８】
環状のネット５２には、その内縁に近い位置（基礎梁２８への環状のネット５２の固定位置に対する相対的な内側位置）で環状のネット５２の周囲にわたって、締付け手段としてのワイヤ５８を取り付ける。このワイヤ５８は締付けと緩みとを行わせることを可能にするもので、ワイヤ５８を締付けることによって、環状のネット５２の相対的な内側位置は煙突１０に固定される。一方、ワイヤ５８を緩めることによって、環状のネット５２におけるワイヤ５８の取付け位置は、煙突１０との固定状態が解除される。この環状のネット５２が煙突１０に固定された状態では、環状のネット５２は後述する連結支持梁６０や後述する足場板７８の下方に備えられるように設定する。
【００１９】
次に、図１乃至図３の状態（足場１４が下位にある状態）からマスト１２の高さを高くして、足場１４を上昇させる場合について説明する。先ず、油圧シリンダ３６を作動させて、８個のローラ５０の先端が煙突１０の外壁２２に近接するように設定する。例えば、各ローラ５０の先端と煙突１０の外壁２２との間隔を、５ミリ程度開けるように設定する。この状態で、３個のマスト高さ調節装置１８を同時に作動させて、３個のマスト１２の高さを同時に高くし、足場１４を上昇させる。足場１４を上昇させている間に煙突１０の外壁２２の直径がテーパに伴って徐々に小さくなるが、外壁２２の直径のテーパに伴って油圧シリンダ３６を作動させ、各ローラ５０と煙突１０の外壁２２との間隔を常に５ミリ程度に保持する。このように、各ローラ５０と煙突１０の外壁２２との間隔を小さい間隔に保持することによって、上昇または下降の途中で足場１４に突風が吹いたり地震があったりした場合でも、足場１４による煙突１０への衝突の衝撃力を小さくすることができる。また、足場１４にかかる衝撃力が小さいため、基礎ステージ２０を支持するマスト１２への水平応力が小さくて済み、その結果、マスト１２への損傷の発生を防止することができる。
【００２０】
８個のローラ５０の全部を煙突１０の外壁２２と５ミリ程度の間隔を開けると説明したが、８個のローラ５０のうち１個のローラ５０を煙突１０の外壁２２に接触させた状態で、足場１４を上昇させるようにしても良い。１個のローラ５０を煙突１０の外壁２２に接触させることで、足場１４を煙突１０に寄り掛かりながら足場１４を上昇させることができ、この場合は、足場１４の上昇の途中で突風や地震があった場合でも、足場１４にかかる水平力をローラ５０が煙突１０の外壁２２に接触している位置で受け止めることになり、煙突１０と足場１４との衝突の衝撃力をより小さくすることができる。更に、足場１４の水平方向のズレが生じても５ミリ程度であるので、マスト１２に大きな曲げ応力がかかることはない。なお、１個のローラ５０を煙突１０の外壁２２に接触させながら足場１４を上昇させた場合には、その接触箇所は足場１４の上昇の抵抗となるものではない。
【００２１】
その後、足場１４が上昇して、煙突１０の外壁２２と基本ステージ２０の内縁２６との間の隙間が大きくなった場合について、図４に基づいて説明する。先ず、８箇所の油圧シリンダ３６を作動させて、８個の全てのローラ５０を煙突１０の外壁２２に接触させ、８個のローラ５０で煙突１０の外壁２２を押圧する。これによって、足場１４が煙突１０に固定される。足場１４を煙突１０に固定した後、各種作業を行う。
【００２２】
環状のネット５２の内縁を取り付けた箇所を煙突１０の壁面２２に接近させるように、ネット支持手段５４の基礎梁２８への固定位置を変更する。その後、ワイヤ５８を締付けて、ワイヤ５８で環状のネット５２の相対的内側位置を煙突１０に固定する。これによって、煙突１０と基本ステージ２０との間の隙間の下側に環状のネット５２が両縁を固定された状態で張りめぐらされる。この結果、煙突１０の壁面２２と基本ステージ２０の穴２４の内縁２６との間の隙間から作業者や作業工具や各種の部材が下方に落下しても、環状のネット５２で受け止めることができる。
【００２３】
その後、図４に示すように、基礎梁２８の先端部３０側に連結支持梁６０（一点鎖線図示）を固定する。連結支持梁６０は、第一側面６２と第二側面６４とを有し、基礎梁２８の先端部３０と連結支持梁６０の第一側面６２とをボルトやナット等の固定手段６６で固定する。また、連結板３２に取付けたボルト３４を連結支持梁６０の下面の穴（図示せず）に挿通させ、ナット６８を螺合させることで、基礎梁２８と連結支持梁６０とを更に強固に固定する。その際、図５に示すように、基礎梁２８の上面と連結支持梁６０の上面とにわたって上継板７０を配置し、その上継板７０を介してボルトやナット等の固定手段７２で、基礎梁２８と連結支持梁６０とを固定する。連結支持梁６０の長さ（図４や図５での横方向の長さ）は約３０ｃｍとするのが望ましい。これは、連結支持梁６０と煙突１０の外壁２２との間の隙間が最大で約３０ｃｍ（連結支持梁６０の長さ）とすれば、作業者の幅は一般的に３０ｃ以上あるので、作業者が煙突１０の外壁２２とステージとの隙間から落下するおそれを無くすことができる。
【００２４】
８個の基礎梁２８のそれぞれに連結支持梁６０を固定した後、図６に示すように、隣り合う連結支持梁６０（基礎梁２８に固定したもの）同士の下面７４の上の２箇所にパイプ７６を置き、それらのパイプ７６をクランプ（図示せず）等の固定手段で連結支持梁６０に固定する。２箇所のパイプ７６の上に、木製の第一足場板７８ａを置く。第一足場板７８ａは図示しない固定手段で、基本ステージ２０または連結支持梁６０と固定する。第一足場板７８ａは台形形状であるが、木製であるので簡単に製造することができる。８個の第一足場板７８ａを基本ステージ２０または連結支持梁６０に固定した状態では、８個の第一足場板７８ａと基本ステージ２０とで新たなステージが形成される。即ち、新たに形成されたステージは基本ステージ２０よりも面積が広くなり、８個の第一足場板７８ａで形成される内縁が煙突１０の外壁２２にほぼ近い位置になる。
【００２５】
その後、足場１４を上昇させる場合には、油圧シリンダ３６を作動させて煙突１０の外壁２２からのローラ５０の接触を外し、ワイヤ５８を緩めて環状のネット５２と煙突１０との固定状態を外す。その後、足場１４を上昇させる。足場１４が上昇して、煙突１０の外壁２２とステージ（第一足場板７８ａ）の内縁２６との間の空間２４に３０ｃｍ程度の隙間ができる。すると、足場１４の上昇を停止し、ローラ５０を移動させて全てのローラ５０を煙突１０に接触させ、ネット支持部材５４を煙突１０側に移動させて基礎梁２８または連結支持梁６０に固定し、ワイヤ５８を締めて環状のネット５２と煙突１０とを固定する。ネット５２と煙突１０とを固定することによって、煙突１０と基本ステージ２０との間の隙間の下方に環状のネット５２が固定された状態となり、ステージの面積を広げる作業を再び開始できる。
【００２６】
この環状のネット５２をワイヤ５８で煙突１０に固定した後、煙突１０の外壁２２側に向けて、基礎梁２８に固定した連結支持梁６０に新たな連結支持梁６０を固定する作業を行う。基礎梁２８に連結した連結支持梁６０の第二側面６４に、新たな連結支持梁６０の第一側面６２をボルトやナット等の固定手段６６で固定する（図５）。その際、基礎梁２８に連結した連結支持梁６０の上面と、新たな連結支持梁６０の上面とにわたって上継板７０を配置し、その上継板７０を介してボルトやナット等の固定手段７２で、基礎梁２８に連結した連結支持梁６０と新たな連結支持梁６０とを固定する。
【００２７】
その後、図６に示すように、隣り合う新たな連結支持梁６０同士の上にパイプ７６を２箇所配置し、クランプ（図示せず）でパイプ７６を新たな連結支持梁６０に固定する。そのパイプ７６の上に第二足場板７８ｂを載せる。連結支持梁６０の長さ（図４や図５での横方向の長さ）と比べて、第二足場板７８ｂの長さを長くし、第二足場板７８ｂの一部が第一足場板７８ａの上に重なるようにする。その後、第二足場板７８ｂと第一足場板７８ａとが重なった位置に釘を打って、第二足場板７８ｂと第一足場板７８ａとを固定する（図７）。第一足場板７８ａは、基本ステージ２０と固定状態にあるため、第二足場板７８ｂも基本ステージ２０と固定状態となる。この第二足場板７８ｂは、図示しない固定手段で新たな連結支持梁６０に固定しても良い。
【００２８】
このように、足場１４が上昇して、煙突１０の外壁２２と基本ステージ２０の内縁２６との間の隙間が大きくなるたびに、煙突１０の外壁２２側に向けて連結支持梁６０を順次固定してゆく。その際に、第二足場板７８ｂの内側に木製の第三足場板７８ｃを備え、第三足場板７８ｃの内側に木製の第四足場板７８ｄを備える。その際に、第二足場板７８ｂと第三足場板７８ｃとを釘（図示せず）で固定し、第三足場板７８ｃと第四足場板７８ｄとを釘（図示せず）で固定する。このように、足場１４が上昇するたびに、煙突１０と基本ステージ２０の内側との間の空間２４が、第一足場板７８ａ，第二足場板７８ｂ，第三足場板７８ｃ並びに第四足場板７８ｄによって埋められてゆき（図８）、ステージの面積が広くなると共に、煙突１０の外壁２２とステージとの隙間は常に狭い状態を保つことができる。
【００２９】
煙突１０の外壁２２側に向けて順次連結支持梁６０を固定してゆくが、その際に、第一支持手段３８や第二支持手段４２はその固定位置を煙突１０側に変えてゆく。油圧シリンダ３６は一般に３５ｃｍ程度しか伸長しない。このため、油圧シリンダ３６を支持する第一支持手段３８も、ローラ５０を備えた移動部材４８も、基礎梁２８や連結支持梁６０への固定位置を変えることにより、ローラ５０を煙突１０の外壁２２に接触させたり、近傍に常に位置させたりすることができる。
【００３０】
足場１４が最上位位置即ち所定の高さの作業位置まで上昇した場合に、８箇所の油圧シリンダ３６によって、８個の全てのローラ５０で煙突１０の外壁２２を押圧する。これによって、足場１４と煙突１０とが固定される。この煙突１０と足場１４とが固定された状態で、作業者が煙突１０の解体等の作業を行う。この際、煙突１０の外壁２２とステージとの隙間は狭い状態となっているので、作業効率を高めることができる。また、煙突１０の外壁２２と基礎ステージ２０との間の下方に環状のネット５２が張り巡らされているので、作業者や連結支持梁６０や足場板７８やボルト等の固定手段が落ちたとしても、環状のネット５２で捕捉することができる。
【００３１】
なお、前記実施例では、基本ステージ２０を足場１４の床面としたが、基本ステージ２０を足場１４の天井面としても良い。なお、図示はしないが、マスト１２に座屈が発生するおそれをなくすために、煙突１０の高さの途中の何箇所かに、マスト１２を支持するための既知のステイ（支持手段）を煙突１０に固定するようにしても良い。
【図面の簡単な説明】
【００３２】
【図１】本発明に係る足場構造を塔状構造物に対して備えた状態を示す正面図である。
【図２】塔状構造物の下側の位置に対する本発明に係る足場構造を示す平面図である。
【図３】図２に対応する本発明に係る足場構造の構成図である。
【図４】図３の状態から連結支持梁を固定する状態を示す足場構造の構成図である。
【図５】塔状構造物の上側の位置に対する本発明に係る足場構造を示す平面図である。
【図６】連結支持梁にパイプと足場板を載せる状態を示す斜視図である。
【図７】連結支持梁とパイプと足場板との位置関係を示す平面図である。
【図８】図５に対応する本発明に係る足場構造の構成図である。
【符号の説明】
【００３３】
１０  煙突
１２  マスト
１４  足場
２０  基本ステージ
２４  空間
２８  基礎梁
３６  油圧シリンダ
５０  ローラ
６０  連結支持梁
７８ａ〜７８ｄ  足場板
【図１】
2008082121.tif 000003
【図２】
2008082121.tif 000004
【図３】
2008082121.tif 000005
【図４】
2008082121.tif 000006
【図５】
2008082121.tif 000007
【図６】
2008082121.tif 000008
【図７】
2008082121.tif 000009
【図８】
2008082121.tif 000010